(57)【要約】【課題】  柱材プレカット加工機において、加工順番の予約を行う必要がなく、熟練者でなくとも容易に且つ効率的に加工が行うことができる。【解決手段】  柱材プレカット加工機のプレカット加工ライン上において、予め制御コンピュータに入力されているプレカットＣＡＤデータ、特に各プレカット加工材別の加工内容および加工部位数によりに算出した加工時間データを基にプレカット木材をグループ分けし、横平行移動コンベア上の各プレカット加工材の貯木本数が少なくなるように、当該プレカット加工材を前記横平行移動用コンベアに効率的な順番で送り出すよう材別に加工順番を決定し、そのデータに基づき柱材プレカット加工を行う。【選択図】    図９
2005228284.tif 000002
【特許請求の範囲】
【請求項１】
柱材プレカット加工機のプレカット加工ライン上において、予め前記柱材プレカット加工機の制御用コンピュータに入力されているプレカットＣＡＤデータである各プレカット木材別の加工内容および加工部位数によりに算出した加工時間データを基に当該プレカット木材をグループ分けし、長さ切断および両端ホゾ等の端部加工が施されたプレカット木材を側面加工ユニットへ搬送する横平行移動用コンベアに送り出す際、前記横平行移動用コンベア上の当該各プレカット木材の滞留貯木本数が少なくなるように、当該プレカット木材を材別に加工順番を決定し、そのデータに基づきプレカット木材の加工を行い、よって前記横平行移動コンベアの長さを短くすることを可能とすることを特徴とした柱材プレカット加工ライン上における材別加工順番決定処理方法。
【請求項２】
前記処理方法に基づくプレカット加工を可能にした、請求項１記載の装置。
【発明の詳細な説明】
【発明の詳細な説明】
【技術分野】
【０００１】  柱材プレカット加工機のプレカット加工ライン上において、予め前記柱材プレカット加工機の制御用コンピュータに入力されているプレカットＣＡＤデータ、特に各プレカット木材別の加工内容および加工部位数によりに算出した加工時間データを基に当該プレカット木材をグループ分けし、長さ切断および両端ホゾ等の端部加工が施されたプレカット木材を側面加工ユニットへ搬送する横平行移動用コンベアに送り出す際、前記横平行移動用コンベア上の当該各プレカット木材の滞留貯木本数が少なくなるように、当該プレカット木材を材別に加工順番を決定し、そのデータに基づきプレカット木材の加工を行い、よって前記横平行移動用コンベアの長さを短くすることを可能とすることを特徴とした柱材プレカット加工ライン上における材別加工順番決定処理方法に関するものである。
【背景技術】
【０００２】  柱材加工を行うえで、部位別加工形状としては以下のようなものがある。
（１）柱材端部に施されるもの
１．柱平ホゾ加工（図３）
２．柱角ホゾ加工（図４）
（２）柱材側面部に施されるもの
１．胴差加工（図５）
２．ホールダウン金物加工（図６）
３．貫穴加工（図７）
４．窓台まぐさ加工（図８）
これら以外にも、柱もたせ加工、シャクリ加工、金物受け加工等がある。
従来型柱材プレカット加工機におけるプレカット加工順序および内容は以下のとおりである。（図１参照）
投入コンベア１に投入貯木されたプレカット木材Ｐはａ方向に進み第１コンベア２に搬送される。第１コンベア２上の前記プレカット木材Ｐはｂ方向に進み、クロスカット３にて右端部に切断加工が施され、その後柱ホゾ加工機４にて同じく右端部にホゾ加工が施される。次に、前記プレカット木材Ｐはｃ方向に進み第２コンベア７に搬送される。柱材ホゾ加工機４を通過し材全体が出きった後ｄ方向に戻り、クロスカット３にて左端部に切断加工が施され、その後柱ホゾ加工機４にて同じく左端部にホゾ加工が施されｃ方向に進み、第２コンベア７のほぼ中間部まで進む。両端部に所定の加工が施され、前記第２コンベア７のほぼ中間部まで搬送された前記プレカット木材Ｐは、材別の加工内容により以下別方向に搬送される。
端部加工のみのプレカット木材Ｐは、この段階で加工の全てが終了したことになり、ｆ方向へと進み第１排出コンベア６へと搬送される。端部加工に加え側面加工を必要とするプレカット木材Ｐ２は、ｇ方向へと進み側面加工機１０への搬送路である横平行移動用コンベア８に搬送貯木される。搬送貯木された前記プレカット木材Ｐ２は第３コンベア９へと進み、前記第３コンベア９上でｈに方向を変え側面加工機１０へと搬送され、前記プレカット木材Ｐ２の側面に所定の加工が施される。端部および側面加工が施されたプレカット木材Ｐ３は第３コンベア９上を再びｈ方向に進み、出口コンベア１１に搬送される。その後ｉ方向に進み第２排出コンベア１２に搬送され加工を終わる。
ここで問題になるのは、前記横平行移動用コンベア８上でのプレカット木材Ｐ２の滞留貯木量である。一般的な軸組工法を採用した木造住宅の柱材の加工において、端部加工のみのプレカット木材の本数は全体の約７０％、残り約３０％が端部加工に加え側面加工を必要とする場合が多い。前記プレカット木材Ｐの加工時間は、その加工内容により大きく異なる。プレカット木材Ｐ１の端部加工のみの場合は短くて済むが、側面加工が加わったプレカット木材Ｐ２の場合、その分当然長くなるが、その加工内容および加工部位数により、さらに加工時間の長短が発生する。
上述のとおり、側面加工を必要とするプレカット木材は全体の約３０％だが、加工順番については前記割合はあまり意味を持たない。例えば、端部加工のみの加工のプレカット加工が連続する場合もあれば、反対に端部加工プラス側面加工を必要とするプレカット加工が連続する場合もある。後述の場合、側面加工機１０にて側面加工を行っている間、加工待ちのプレカット木材Ｐ２が横平行移動用コンベア８に滞留貯木し、さらにその滞留貯木数が限界を超えた場合には、クロスカット３や柱ホゾ加工機４の加工がストップし、柱材加工機全体の能力ダウンへとつながる。
上記柱材加工機の能力ダウンを回避するため、機械操作者は制御用コンピュタ５に、端部加工プラス側面加工のプレカット加工が連続しないよう、例えば、端部加工のみプレカット木材を３本、その次ぎに端部加工プラス側面加工を必要とするプレカット木材を１本を加工するというように、手入力で予約投入操作を行っている。なお、端部加工プラス側面加工を必要とするプレカット木材の中でもその加工内容および部位数により、加工時間に大きな差異が生じる場合がある。例えば、１本当たりの側面加工時間が１分程度のもあれば２０分を超えるものもある。
熟練した機械操作者は、上記加工時間情報をプレカットＣＡＤデータおよび図面より判断し、効率よく加工が行われるように、即ちプレカット木材Ｐ２の横平行移動用コンベア８上での滞留貯木数が多くならないように、端部加工プラス側面加工を必要とする各プレカット木材の加工時間から判断し、加工時間が長いもの短いものと振り分け、例えば、端部加工のみのプレカット木材を４本流した後、加工時間が長い端部プラス側面加工を必要とするプレカット木材なら１本、加工時間が短い端部プラス側面加工を必要とするプレカット木材なら２本というように予約投入操作を行っている。
【発明が解決しようとする課題】
【０００３】  上述のとおり、従来型柱材加工機で効率的な加工を行う場合。つまり、プレカット木材Ｐ２が横平行移動用コンベア８上に滞留貯木数が多くならないように、端部加工プラス側面加工を必要とする各プレカット木材の加工時間により、加工時間が長いもの短いものとに振り分け、機械操作者が予約投入操作を行っている。
しかしながら、前記機械操作者の熟練度により前記加工効率に大きな差異が生じることが多く、熟練者がいないプレカット工場では加工能力ダウンが生じ問題となっている。
また、そのためプレカット木材Ｐ２の横平行移動用コンベア８上の過剰な滞留貯木数をある程度見越し、前記横平行移動用コンベア８の測長Ｌが長めに設計されている。従って、その分横平行移動用コンベアの製作費用がかさみ、また設置スペースも広く取らざるを得ない。（図１参照）
【課題を解決するための手段】
【０００４】  請求項１記載の発明は、柱材プレカット加工機のプレカット加工ライン上において、予め前記柱材プレカット加工機の制御用コンピュータに入力されているプレカットＣＡＤデータである各プレカット木材別の加工内容および加工部位数によりに算出した加工時間データを基に当該プレカット木材をグループ分けし、長さ切断および両端ホゾ等の端部加工が施されたプレカット木材を側面加工ユニットへ搬送する横平行移動用コンベアに送り出す際、前記横平行移動用コンベア上の当該各プレカット木材の滞留貯木本数が少なくなるように、当該プレカット木材を材別に加工順番を決定し、そのデータに基づきプレカット木材の加工を行い、よって前記横平行移動用コンベアの長さを短くすることを可能とすることに特徴を有する。
請求項２の発明は、前記処理方法に基づくプレカット加工手段を備えていることに特徴を有する。
【発明を実施するための最良の形態】
【０００５】  次に、本発明の柱材プレカット加工ライン上における材別加工順番決定処理方法および装置の実施態様を説明する。
図９は、本発明の柱材プレカット加工ライン上における材別加工順番決定処理方法の情報生成処理の態様を示すフローチャートである。
図９において、制御用コンピュータ（図示せず）に入力されたプレカットＣＡＤデータに基づき効率的に、即ち、側面加工を必要とするプレカット木材が端部加工が施され、横平行移動用コンベア８上に搬送され、そこでの滞留貯木数が多くならないように、以下情報生成処理が行われる。
Ａ．加工対象のプレカット加工木材において、端部加工のみか、あるいは端部加工と側面加工の両方を行うかで２つにグループ分けを行う。
Ｂ．Ａで端部加工と側面加工の両方を行うとなったグループのプレカット加工木材の材別側面加工の種類および部位数に基づき各プレカット加工木材の加工時間を算出。
Ｃ．上記加工時間に基づき、加工時間の短い順番から１．２．３‥‥とさらにグループ分け処理を行う。
Ｄ．Ａで端部加工のみとしたグループとＣで端部加工と側面加工の両方を行いさらに加工時間により分けた１．２．３‥‥のグループを一まとめにし、側面加工時間の短い順に再グループ化処理を行う。その際、端部加工のみのグループは側面加工がないので側面加工時間が発生しないので、便宜上０とする。
Ｅ．Ｄの処理データに基づき、横平行移動用コンベア上で側面加工機への加工待ちのプレカット加工木材の滞留貯木本数が常時最小となるよう、プレカット加工木材の加工順番を決定する。
例えば、対象プレカット加工木材の全体の中で、端部加工のみのグループを０とし、端部加工と側面加工の両方を行い、側面時間が３分以内のグループを１、同３分超５分以内のグループを２、５分超１０分以内のグループを３、１０分超１５分以内のグループを４、１５分超のグループを５とした場合、加工順番を以下のとおりとする。
０．０．０．５．０．０．０．１．２．０．０．０．３．０．０．０．４‥というように加工順番を決定し、柱材プレカット加工を行う。
図２は、本発明の柱材プレカット加工ライン上における材別加工順番決定処理方法の実施の態様示す概略的な構成図である。
次ぎに、上記情報生成処理に基づき柱材のプレカット加工が行われる態様を図２を参照し説明を行う。
制御用コンピュータ５で加工時間別にグループ分けされたプレカットＣＡＤ加工データに基づき、加工順番通りに各柱材プレカット加工木材の加工を行う。
投入コンベア１に投入貯木されたプレカット木材Ｐはａ方向に進み第１コンベア２に搬送される。第１コンベア上の前記プレカット木材Ｐはｂ方向に進み、クロスカット３にて右端部に切断加工が施され、その後柱ホゾ加工機４にて同じく右端部にホゾ加工が施される。次ぎに、前記プレカット木材Ｐはｃ方向に進み第２コンベア７に搬送される。柱材ホゾ加工機４を通過し材全体が出きった後ｄ方向に戻り、クロスカット３にて左端部に切断加工が施され、その後柱ホゾ加工機４にて同じく左端部にホゾ加工が施されｃ方向に進み、第２コンベア７のほぼ中間部まで進む。両端部に所定の加工が施され、前記第２コンベア７のほぼ中間部まで搬送された前記プレカット木材Ｐは、材別の加工内容により以下別方向に搬送される。
端部加工のみのプレカット木材Ｐは、この段階で加工の全てが終了したことになり、ｆ方向へと進み第１排出コンベア６へと搬送される。端部加工に加え側面加工を必要とするプレカット木材Ｐ２は、ｇ方向へと進み側面加工機１０への搬送路である横平行移動用コンベア８に搬送貯木される。搬送貯木された前記プレカット木材Ｐ２は第３コンベア９へと進み、前記第３コンベア９上でｈに方向を変え側面加工機１０へと搬送され、前記プレカット木材Ｐ２の側面に所定の加工が施される。端部および側面加工が施されたプレカット木材Ｐ３は第３コンベア９上を再びｈ方向に進み、出口コンベア１１に搬送される。その後ｉ方向に進み第２排出コンベア１２に搬送され加工を終わる。
従来型柱材加工機との違いは、材別柱材加工順番決定処理により、前記横平行移動用コンベア８上のプレカット加工木材Ｐ２の滞留貯木本数を少なくし、よって横平行移動用コンベア８の測長Ｌを従来型より短くすることが可能となる。
【発明の効果】
【０００７】  以上説明したように、本発明を使用することにより、今まで熟練した機械操作者が、プレカット木材が横平行移動用コンベア上での滞留貯木数が多くならないように、端部加工プラス側面加工を必要とする各プレカット木材の加工時間から判断し、材別に加工時間が長いもの短いものと振り分け、加工予約投入操作を行っていたが、それが不要となる。
さらに、そのことにより、横平行移動用コンベア上に滞留貯木数が少なくなるので、前記横平行移動用コンベアの測長Ｌが短くて済むようになり、その分、横平行移動用コンベアの製作費用が下がり、また設置スペースも小さくなる等工業上有用な効果がもたらされる。
【図面の簡単な説明】
【図１】  従来型柱材プレカット加工機およびプレカット加工順序を示した概要図。
【図２】  本発明により、平行移動用コンベア測長が短くなった柱材プレカット加工機およびプレカット加工順序を示した概要図。
【図３】  柱材端部に施される柱平ホゾ加工形状の斜視図（Ｌはホゾの長さ、数字は一般的な各寸法を表している）
【図４】  柱材端部に施される柱角ホゾ加工形状の斜視図（Ｌはホゾの長さ、数字は一般的な各寸法を表している）
【図５】  柱材側面部に施される胴差加工形状の斜視図（ａは胴差の長さ、数字は一般的な寸法を表している）
【図６】  柱材側面部に施されるホールダウン金物加工形状の斜視図（数字は一般的な各寸法を表している）
【図７】  柱材側面部に施される貫穴加工形状の斜視図（ａは貫穴の長さ、ｂは貫穴の幅、数字は一般的な寸法を表している）
【図８】  柱材側面部に施される窓台まぐさ加工形状の斜視図（ａはまぐさ欠きの幅、ｂはまぐさ欠きの深さを表している）
【符号の説明】
１        投入コンベア
２        第１コンベア
３        クロスカット
４        柱ホゾ加工機
５        制御用コンピュータ
６        第１排出コンベア
７        第２コンベア
８        横平行移動用コンベア
９        第３コンベア
１０      側面加工機
１１      出口コンベア
１２      第２排出コンベア
Ｐ        プレカット加工木材
Ｐ１      端部加工が施されたプレカット加工木材
Ｐ２      端部および側面加工が施されたプレカット加工木材
ａ〜ｉ    プレカット加工木材の搬送方向
【図１】
2005228284.tif 000003
【図２】
2005228284.tif 000004
【図３】
2005228284.tif 000005
【図４】
2005228284.tif 000006
【図５】
2005228284.tif 000007
【図６】
2005228284.tif 000008
【図７】
2005228284.tif 000009
【図８】
2005228284.tif 000010
【図９】
2005228284.tif 000011
【手続補正書】
【提出日】平成16年5月1日(2004.5.1)
【手続補正１】
【補正対象書類名】明細書
【補正対象項目名】全文
【補正方法】変更
【補正の内容】
【発明の詳細な説明】
【技術分野】
【０００１】  柱材プレカット加工機のプレカット加工ライン上において、予め前記柱材プレカット加工機の制御用コンピュータに入力されているプレカットＣＡＤデータ、特に各プレカット木材別の加工内容および加工部位数によりに算出した加工時間データを基に当該プレカット木材をグループ分けし、長さ切断および両端ホゾ等の端部加工が施されたプレカット木材を側面加工ユニットへ搬送する横平行移動用コンベアに送り出す際、前記横平行移動用コンベア上の当該各プレカット木材の滞留貯木本数が少なくなるように、当該プレカット木材を材別に加工順番を決定し、そのデータに基づきプレカット木材の加工を行い、よって前記横平行移動用コンベアの長さを短くすることを可能とすることを特徴とした柱材プレカット加工ライン上における材別加工順番決定処理方法に関するものである。
【背景技術】
【０００２】  柱材加工を行うえで、部位別加工形状としては以下のようなものがある。
（１）柱材端部に施されるもの
１．柱平ホゾ加工（図３）
２．柱角ホゾ加工（図４）
（２）柱材側面部に施されるもの
１．胴差加工（図５）
２．ホールダウン金物加工（図６）
３．貫穴加工（図７）
４．窓台まぐさ加工（図８）
これら以外にも、柱もたせ加工、シャクリ加工、金物受け加工等がある。
従来型柱材プレカット加工機におけるプレカット加工順序および内容は以下のとおりである。（図１参照）
投入コンベア１に投入貯木されたプレカット木材Ｐはａ方向に進み第１コンベア２に搬送される。第１コンベア２上の前記プレカット木材Ｐはｂ方向に進み、クロスカット３にて右端部に切断加工が施され、その後柱ホゾ加工機４にて同じく右端部にホゾ加工が施される。次に、前記プレカット木材Ｐはｃ方向に進み第２コンベア７に搬送される。柱材ホゾ加工機４を通過し材全体が出きった後ｄ方向に戻り、クロスカット３にて左端部に切断加工が施され、その後柱ホゾ加工機４にて同じく左端部にホゾ加工が施されｃ方向に進み、第２コンベア７のほぼ中間部まで進む。両端部に所定の加工が施され、前記第２コンベア７のほぼ中間部まで搬送された前記プレカット木材Ｐは、材別の加工内容により以下別方向に搬送される。
端部加工のみのプレカット木材Ｐは、この段階で加工の全てが終了したことになり、ｆ方向へと進み第１排出コンベア６へと搬送される。端部加工に加え側面加工を必要とするプレカット木材Ｐ２は、ｇ方向へと進み側面加工機１０への搬送路である横平行移動用コンベア８に搬送貯木される。搬送貯木された前記プレカット木材Ｐ２は第３コンベア９へと進み、前記第３コンベア９上でｈに方向を変え側面加工機１０へと搬送され、前記プレカット木材Ｐ２の側面に所定の加工が施される。端部および側面加工が施されたプレカット木材Ｐ３は第３コンベア９上を再びｈ方向に進み、出口コンベア１１に搬送される。その後ｉ方向に進み第２排出コンベア１２に搬送され加工を終わる。
ここで問題になるのは、前記横平行移動用コンベア８上でのプレカット木材Ｐ２の滞留貯木量である。一般的な軸組工法を採用した木造住宅の柱材の加工において、端部加工のみのプレカット木材の本数は全体の約７０％、残り約３０％が端部加工に加え側面加工を必要とする場合が多い。前記プレカット木材Ｐの加工時間は、その加工内容により大きく異なる。プレカット木材Ｐ１の端部加工のみの場合は短くて済むが、側面加工が加わったプレカット木材Ｐ２の場合、その分当然長くなるが、その加工内容および加工部位数により、さらに加工時間の長短が発生する。
上述のとおり、側面加工を必要とするプレカット木材は全体の約３０％だが、加工順番については前記割合はあまり意味を持たない。例えば、端部加工のみの加工のプレカット加工が連続する場合もあれば、反対に端部加工プラス側面加工を必要とするプレカット加工が連続する場合もある。後述の場合、側面加工機１０にて側面加工を行っている間、加工待ちのプレカット木材Ｐ２が横平行移動用コンベア８に滞留貯木し、さらにその滞留貯木数が限界を超えた場合には、クロスカット３や柱ホゾ加工機４の加工がストップし、柱材加工機全体の能力ダウンへとつながる。
上記柱材加工機の能力ダウンを回避するため、機械操作者は制御用コンピュタ５に、端部加工プラス側面加工のプレカット加工が連続しないよう、例えば、端部加工のみプレカット木材を３本、その次ぎに端部加工プラス側面加工を必要とするプレカット木材を１本を加工するというように、手入力で予約投入操作を行っている。なお、端部加工プラス側面加工を必要とするプレカット木材の中でもその加工内容および部位数により、加工時間に大きな差異が生じる場合がある。例えば、１本当たりの側面加工時間が１分程度のもあれば２０分を超えるものもある。
熟練した機械操作者は、上記加工時間情報をプレカットＣＡＤデータおよび図面より判断し、効率よく加工が行われるように、即ちプレカット木材Ｐ２の横平行移動用コンベア８上での滞留貯木数が多くならないように、端部加工プラス側面加工を必要とする各プレカット木材の加工時間から判断し、加工時間が長いもの短いものと振り分け、例えば、端部加工のみのプレカット木材を４本流した後、加工時間が長い端部プラス側面加工を必要とするプレカット木材なら１本、加工時間が短い端部プラス側面加工を必要とするプレカット木材なら２本というように予約投入操作を行っている。
【発明が解決しようとする課題】
【０００３】  上述のとおり、従来型柱材加工機で効率的な加工を行う場合。つまり、プレカット木材Ｐ２が横平行移動用コンベア８上に滞留貯木数が多くならないように、端部加工プラス側面加工を必要とする各プレカット木材の加工時間により、加工時間が長いもの短いものとに振り分け、機械操作者が予約投入操作を行っている。
しかしながら、前記機械操作者の熟練度により前記加工効率に大きな差異が生じることが多く、熟練者がいないプレカット工場では加工能力ダウンが生じ問題となっている。
また、そのためプレカット木材Ｐ２の横平行移動用コンベア８上の過剰な滞留貯木数をある程度見越し、前記横平行移動用コンベア８の測長Ｌが長めに設計されている。従って、その分横平行移動用コンベアの製作費用がかさみ、また設置スペースも広く取らざるを得ない。（図１参照）
【課題を解決するための手段】
【０００４】  請求項１記載の発明は、柱材プレカット加工機のプレカット加工ライン上において、予め前記柱材プレカット加工機の制御用コンピュータに入力されているプレカットＣＡＤデータである各プレカット木材別の加工内容および加工部位数によりに算出した加工時間データを基に当該プレカット木材をグループ分けし、長さ切断および両端ホゾ等の端部加工が施されたプレカット木材を側面加工ユニットへ搬送する横平行移動用コンベアに送り出す際、前記横平行移動用コンベア上の当該各プレカット木材の滞留貯木本数が少なくなるように、当該プレカット木材を材別に加工順番を決定し、そのデータに基づきプレカット木材の加工を行い、よって前記横平行移動用コンベアの長さを短くすることを可能とすることに特徴を有する。
請求項２の発明は、前記処理方法に基づくプレカット加工手段を備えていることに特徴を有する。
【発明を実施するための最良の形態】
【０００５】  次に、本発明の柱材プレカット加工ライン上における材別加工順番決定処理方法および装置の実施態様を説明する。
図９は、本発明の柱材プレカット加工ライン上における材別加工順番決定処理方法の情報生成処理の態様を示すフローチャートである。
図９において、制御用コンピュータ（図示せず）に入力されたプレカットＣＡＤデータに基づき効率的に、即ち、側面加工を必要とするプレカット木材が端部加工が施され、横平行移動用コンベア８上に搬送され、そこでの滞留貯木数が多くならないように、以下情報生成処理が行われる。
Ａ．加工対象のプレカット加工木材において、端部加工のみか、あるいは端部加工と側面加工の両方を行うかで２つにグループ分けを行う。
Ｂ．Ａで端部加工と側面加工の両方を行うとなったグループのプレカット加工木材の材別側面加工の種類および部位数に基づき各プレカット加工木材の加工時間を算出。
Ｃ．上記加工時間に基づき、加工時間の短い順番から１．２．３‥‥とさらにグループ分け処理を行う。
Ｄ．Ａで端部加工のみとしたグループとＣで端部加工と側面加工の両方を行いさらに加工時間により分けた１．２．３‥‥のグループを一まとめにし、側面加工時間の短い順に再グループ化処理を行う。その際、端部加工のみのグループは側面加工がないので側面加工時間が発生しないので、便宜上０とする。
Ｅ．Ｄの処理データに基づき、横平行移動用コンベア上で側面加工機への加工待ちのプレカット加工木材の滞留貯木本数が常時最小となるよう、プレカット加工木材の加工順番を決定する。
例えば、対象プレカット加工木材の全体の中で、端部加工のみのグループを０とし、端部加工と側面加工の両方を行い、側面時間が３分以内のグループを１、同３分超５分以内のグループを２、５分超１０分以内のグループを３、１０分超１５分以内のグループを４、１５分超のグループを５とした場合、加工順番を以下のとおりとする。
０．０．０．５．０．０．０．１．２．０．０．０．３．０．０．０．４‥というように加工順番を決定し、柱材プレカット加工を行う。
図２は、本発明の柱材プレカット加工ライン上における材別加工順番決定処理方法の実施の態様示す概略的な構成図である。
次ぎに、上記情報生成処理に基づき柱材のプレカット加工が行われる態様を図２を参照し説明を行う。
制御用コンピュータ５で加工時間別にグループ分けされたプレカットＣＡＤ加工データに基づき、加工順番通りに各柱材プレカット加工木材の加工を行う。
投入コンベア１に投入貯木されたプレカット木材Ｐはａ方向に進み第１コンベア２に搬送される。第１コンベア上の前記プレカット木材Ｐはｂ方向に進み、クロスカット３にて右端部に切断加工が施され、その後柱ホゾ加工機４にて同じく右端部にホゾ加工が施される。次ぎに、前記プレカット木材Ｐはｃ方向に進み第２コンベア７に搬送される。柱材ホゾ加工機４を通過し材全体が出きった後ｄ方向に戻り、クロスカット３にて左端部に切断加工が施され、その後柱ホゾ加工機４にて同じく左端部にホゾ加工が施されｃ方向に進み、第２コンベア７のほぼ中間部まで進む。両端部に所定の加工が施され、前記第２コンベア７のほぼ中間部まで搬送された前記プレカット木材Ｐは、材別の加工内容により以下別方向に搬送される。
端部加工のみのプレカット木材Ｐは、この段階で加工の全てが終了したことになり、ｆ方向へと進み第１排出コンベア６へと搬送される。端部加工に加え側面加工を必要とするプレカット木材Ｐ２は、ｇ方向へと進み側面加工機１０への搬送路である横平行移動用コンベア８に搬送貯木される。搬送貯木された前記プレカット木材Ｐ２は第３コンベア９へと進み、前記第３コンベア９上でｈに方向を変え側面加工機１０へと搬送され、前記プレカット木材Ｐ２の側面に所定の加工が施される。端部および側面加工が施されたプレカット木材Ｐ３は第３コンベア９上を再びｈ方向に進み、出口コンベア１１に搬送される。その後ｉ方向に進み第２排出コンベア１２に搬送され加工を終わる。
従来型柱材加工機との違いは、材別柱材加工順番決定処理により、前記横平行移動用コンベア８上のプレカット加工木材Ｐ２の滞留貯木本数を少なくし、よって横平行移動用コンベア８の測長Ｌを従来型より短くすることが可能となる。
【発明の効果】
【０００７】  以上説明したように、本発明を使用することにより、今まで熟練した機械操作者が、プレカット木材が横平行移動用コンベア上での滞留貯木数が多くならないように、端部加工プラス側面加工を必要とする各プレカット木材の加工時間から判断し、材別に加工時間が長いもの短いものと振り分け、加工予約投入操作を行っていたが、それが不要となる。
さらに、そのことにより、横平行移動用コンベア上に滞留貯木数が少なくなるので、前記横平行移動用コンベアの測長Ｌが短くて済むようになり、その分、横平行移動用コンベアの製作費用が下がり、また設置スペースも小さくなる等工業上有用な効果がもたらされる。
【図面の簡単な説明】
【０００８】
【図１】  従来型柱材プレカット加工機およびプレカット加工順序を示した概要図。
【図２】  本発明により、平行移動用コンベア測長が短くなった柱材プレカット加工機およびプレカット加工順序を示した概要図。
【図３】  柱材端部に施される柱平ホゾ加工形状の斜視図（Ｌはホゾの長さ、数字は一般的な各寸法を表している）
【図４】  柱材端部に施される柱角ホゾ加工形状の斜視図（Ｌはホゾの長さ、数字は一般的な各寸法を表している）
【図５】  柱材側面部に施される胴差加工形状の斜視図（ａは胴差の長さ、数字は一般的な寸法を表している）
【図６】  柱材側面部に施されるホールダウン金物加工形状の斜視図（数字は一般的な各寸法を表している）
【図７】  柱材側面部に施される貫穴加工形状の斜視図（ａは貫穴の長さ、ｂは貫穴の幅、数字は一般的な寸法を表している）
【図８】  柱材側面部に施される窓台まぐさ加工形状の斜視図（ａはまぐさ欠きの幅、ｂはまぐさ欠きの深さを表している）
【図９】  本発明の柱材プレカット加工ライン上における材別加工順番決定処理方法の情報生成処理の態様を示すフローチャート
【符号の説明】
【０００９】１        投入コンベア
２        第１コンベア
３        クロスカット
４        柱ホゾ加工機
５        制御用コンピュータ
６        第１排出コンベア
７        第２コンベア
８        横平行移動用コンベア
９        第３コンベア
１０      側面加工機
１１      出口コンベア
１２      第２排出コンベア
Ｐ        プレカット加工木材
Ｐ１      端部加工が施されたプレカット加工木材
Ｐ２      端部および側面加工が施されたプレカット加工木材
ａ〜ｉ    プレカット加工木材の搬送方向